(57)【特許請求の範囲】
【請求項１】
省電力モードを有する機器であって、
省電力モードからの復帰を検出する省電力モード復帰検出手段と、
前記機器の姿勢を検出する姿勢検出手段と、
前記省電力モード復帰検出手段が省電力モードからの復帰を検出する以降に前記姿勢検出手段が検出する姿勢が、所定の機能について使用される部品の向きに基づいて設定された所定範囲の姿勢である場合、前記所定の機能を起動するための起動用ユーザインタフェースを提示するユーザインタフェース提示手段と
を備える機器。
【請求項２】
誤操作防止のためのロック状態、及び、セキュリティ確保のためのセキュリティロック状態の少なくともいずれかを設定するロック設定手段をさらに備え、
前記ユーザインタフェース提示手段は、前記姿勢検出手段が前記所定範囲の姿勢を検出する場合、前記ロック設定手段の設定に関わらず、前記起動用ユーザインタフェースを提示することを特徴とする請求項１に記載の機器。
【請求項３】
前記ユーザインタフェース提示手段は、前記姿勢検出手段が前記所定範囲の姿勢を所定時間検出する場合、前記起動用ユーザインタフェースを提示することを特徴とする請求項１又は２の何れかに記載の機器。
【請求項４】
前記ユーザインタフェース提示手段は、ユーザが前記起動用ユーザインタフェースを用いて前記所定の機能を選択することを検出する後に、前記セキュリティロック状態を解除するためのユーザインタフェースを提示することを特徴とする請求項２に記載の機器。
【請求項５】
省電力モードからの復帰を省電力モード復帰検出手段により検出し、
前記省電力モード復帰検出手段が前記省電力モードからの復帰を検出する以降における姿勢を姿勢検出手段により検出し、
前記姿勢検出手段が、所定の機能について使用される部品の向きに基づいて設定された所定範囲の姿勢を検出すると、前記所定の機能を起動するための起動用ユーザインタフェースを、ユーザインタフェース提示手段により提示する
ことを特徴とする起動用ＵＩ提示方法。
【請求項６】
誤操作防止のためのロック状態、及び、セキュリティ確保のためのセキュリティロック状態の少なくともいずれかをロック設定手段で設定できる機器に適用され、
前記姿勢検出手段が前記所定範囲の姿勢を検出する場合、前記ロック設定手段の設定に関わらず、前記起動用ユーザインタフェースを前記ユーザインタフェース提示手段により提示することを特徴とする請求項５に記載の起動用ＵＩ提示方法。
【請求項７】
前記姿勢検出手段が前記所定範囲の姿勢を所定時間検出する場合、前記ユーザインタフェース提示手段により前記起動用ユーザインタフェースを提示することを特徴とする請求項５又は６の何れかに記載の起動用ＵＩ提示方法。
【請求項８】
ユーザが前記起動用ユーザインタフェースを用いて前記所定の機能を選択することを検出する後に、前記セキュリティロック状態を解除するためのユーザインタフェースを前記ユーザインタフェース提示手段により提示することを特徴とする請求項６に記載の起動用ＵＩ提示方法。
【請求項９】
請求項５ないし８の何れかに記載の方法を、コンピュータによって実行可能なプログラムとして実施していることを特徴とする起動用ＵＩ提示プログラム。
【発明の詳細な説明】
【技術分野】
【０００１】
本発明は、コンピュータプログラムにより起動用ＵＩ（User Interface）を表示画面に提示することが可能な機器に関し、特に、省電力のためのスリープモードを有し、スリープモードから再起動（復帰）した後の姿勢に応じて起動用ＵＩを提示する機器および起動用ＵＩ提示方法、並びにこの起動用ＵＩ提示方法をコンピュータによって実行するプログラムに関する。
【背景技術】
【０００２】
携帯電話機、カメラ、プロジェクタ、方位計、携帯情報端末（ＰＤＡ，Personal  Digital  Assistants）、携帯型ナビゲーションシステム等の各種の機器には、内蔵のＣＰＵ（Central Processing Unit）や表示部（ディスプレイ）における電力の消費を低減するために、スリープモード等の省電力モードを有するものが多い。【０００３】
スリープモードでは、使用時にメモリに記憶されている作業用データはメモリにそのまま保持し、ハードディスクにも同じ作業用データを記録している。ユーザが画面へのタッチやキーボードによる入力等といった機器に対するアクセスを一定時間以上に亘って行わなかったとき、或いはスリープモードに入るための操作を行ったときに、機器はスリープモードに入る。【０００４】
スリープモードにある機器に対し、タッチパネル機能を有する表示画面へのタッチ、キーボード上のキーの押下、或いは筐体を一定距離以上移動させる等のアクセス操作をし、或いはスリープモード解除用ボタンの操作をすることにより、スリープモードが解除され、機器が動作モードに復帰する。スリープモードが解除され、動作モードに復帰した状態においても、誤操作防止用のロックを解除するためにロック解除のボタン操作をし、更にセキュリティ確保用のセキュリティロックを解除するためにパスワードの入力をしなければ、コマンドを実行できないように機器は設定されることが多い。【０００５】
ロック及びロックの解除を入力するためのロック／ロック解除スイッチを有する機器では、このロック／ロック解除スイッチをロック側に操作しておけば、何らかのコマンドの入力操作がなされても、そのコマンドがＣＰＵに入力されるのを阻止するように、予め設定できる。ロック／ロック解除スイッチをロック側に設定することにより、機器をロック状態に設定できるようにすること、即ちロック／ロック解除スイッチの操作を有効に設定すること、即ちロック有効の設定は、機器が通常の作業可能状態にあるときに任意に行える。また、そのロック／ロック解除スイッチの操作を無効に設定すること、即ちロック無効の設定も、機器が通常の作業可能状態にあるときに任意に行える。【０００６】
機器がロック有効に設定してあるときに、ロック／ロック解除スイッチをロック側に設定し、機器をロック状態にしておくことにより、ユーザの意図しない誤操作があったとしても、機器の状態が維持される。タッチパネル機能を有する表示画面にタッチしたり、或いはキーボードのキーの押下によるコマンドの入力を有効にしようとするときは、ロック／ロック解除スイッチをロック解除側に設定する。機器がロック有効に設定してあれば、スリープモードが解除され、動作モードに復帰した状態においても、ロック解除のボタン操作をし、機器のロックを解除しなければ、パスワードの入力等の次の操作ができない。【０００７】
パスワードの入力がないときは、機器は、次のコマンド（例えば、カメラ機能用の起動用ＵＩの表示を命令するキー入力）を入力できない。機器が他人に不正に使用されることにより、個人情報やデータが盗用され、或いはデータが改竄されることを防止するために、パスワードの入力があったときにのみ、次のコマンドの入力を受け付けるように、機器は設定してあることが多い。【０００８】
機器には、カメラ、プロジェクタ、方位計など、特定の姿勢において利用される機能がある。例えば、カメラ機能は表示画面を垂直に保持して使用され、プロジェクタ機能や方位計機能は表示画面を水平に保持したときに利用されることが多い。例えば、表示画面に対し垂直に光軸を向けてレンズが搭載してあるカメラでは、地表面上の人物等の被写体に光軸を向けるには、表示画面を垂直に保持する必要があるし、また、筐体の長手軸方向（表示画面に対し平行）に光軸を向けてレンズが搭載してあるプロジェクタでは、地面に垂直な方向に垂らして設けられたスクリーンに画像などを投影するには、表示画面を水平に保持する必要がある。このように、機器の姿勢と使用される機能とが対応しているのである。また、方位計の例では、表示画面を水平に保持したときに、機器の長手軸など所定の軸が指向している向きの方位が正確に表示画面に表示されるので、やはり機器の姿勢と使用される機能（この例では、方位計機能）とが対応している。【０００９】
そこで、機器に姿勢検知機能を持たせ、姿勢検知機能が特定の姿勢を検知したときに、或いはその姿勢の検知が所定時間継続したときに、その姿勢に対応したＵＩが表示画面に自動的に提示される（「表示される」と同義）ならば、そのＵＩの表示をさせるための格別の操作を入力する必要がないので、機器の操作性において迅速性、軽便性が向上する。【００１０】
このように、機器に姿勢検知機能を持たせ、特定の姿勢になったとき、或いは特定の姿勢が所定時間継続したときに、その特定の姿勢に対応付けた所定機能用のＵＩを提示するようにした機器が、特許文献１（特開２０１１−１８２０７２号公報）に「携帯端末装置及びその表示省電力状態からの復帰制御方法」なる発明として、特にその明細書の段落００３５−００４３並びに図４および図５に開示されている。特許文献１の携帯端末装置では、姿勢検知機能は加速度センサにより得ている。【００１１】
そして、特許文献１の携帯端末装置では、加速度センサが静止状態を検知し、携帯端末装置が表示省電力状態（表示ＯＦＦ）にあったときに、加速度センサが一定量（例えば、１０ｃｍ）移動を検知すると、表示省電力状態の解除トリガを発生し（図４の静止状態（１））、表示省電力状態を解除する。表示省電力状態の解除がされた後は、ヒンジ部が上の姿勢で、加速度センサが所定時間（例えば、２秒）以内に静止状態を検知すると、受信メール一覧表を表示し（図４の静止状態（２））、ヒンジ部が下の姿勢で、加速度センサが所定時間以内に静止状態を検知すると、発着信履歴を表示し（図４の静止状態（３））、ヒンジ部が右横の姿勢で、加速度センサが所定時間以内に静止状態を検知すると、カメラプレビューを表示し（図４の静止状態（４））、ヒンジ部が左横の姿勢で、加速度センサが所定時間以内に静止状態を検知すると、ＴＶ映像を表示する（図４の静止状態（５））。
【先行技術文献】
【特許文献】
【００１２】
【特許文献１】特開２０１１−１８２０７２号公報（段落００３５−００４３及び図４、図５）
【発明の開示】
【発明が解決しようとする課題】
【００１３】
前述の特許文献１の携帯端末装置では、加速度センサで検知する携帯端末装置の姿勢に応じて受信メール一覧表、発着信履歴、カメラプレビュー及びＴＶ映像を表示している。そこで、この特許文献１の携帯端末装置で行っていることは、表示省電力状態解除に続いて必要となる表示切替のためのコマンドの入力手段として、ヒンジ部の姿勢を用いているといえる。【００１４】
上述のように、特許文献１の携帯端末装置では、表示省電力状態解除に続いて必要となる表示切替コマンドの入力手段として、ヒンジ部の姿勢を用いているだけであるので、ヒンジ部がある姿勢をとったときに次に必要とされる確率の高いＵＩとは関係のないＵＩが表示部に提示される。例えば、ヒンジ部が右横の姿勢で、加速度センサが所定時間以内に静止状態を検知すると、カメラプレビューを表示する（図４の静止状態（４））と説明されているが、ヒンジ部が右横の姿勢のときにカメラレンズがどの方向を指向するのかは不明であり、携帯端末装置の姿勢に応じて、その姿勢で利用される可能性が高い、即ち姿勢に応じた適切なＵＩの提示は考慮されていない。したがって、特許文献１の携帯端末装置では、姿勢に応じて予め定めたＵＩが表示画面に表示されるが、ある姿勢において利用される確率の高いＵＩが表示されるわけはないので、表示省電力状態を解除した後にユーザが行おうとしている作業のために必要となる操作数の軽減の効果はなく、操作性向上の効果は低い。【００１５】
また、機器には、スリープモード等の省電力モードを解除し、通常状態に復帰したとしても、コマンド（例えば、カメラの起動用ＵＩを表示画面に表示させるという命令。）の入力を可能にするのに先立って、ロック解除の操作やパスワードの入力を必要とするものが多い。コマンドの入力は、例えば、タッチパネルとしての機能を備える表示画面を指でタッチすることにより、行われる。上記特許文献１の携帯端末装置が、ロック解除の操作やパスワードの入力を要するものであれば、その携帯端末装置は、ロック解除の操作やパスワードの入力という操作をした後でなければ、コマンドの入力はできない。このように、特許文献１の携帯端末装置では、スリープモード等の省電力モードの解除により通常状態（省電力状態から離脱した状態）に復帰したとしても、起動用ＵＩ提示のためのコマンドの入力には更なる操作を要していた。【００１６】
そこで、本発明の目的は、省電力モードから復帰したときは、そのときの姿勢に対応付けられる所定の機能を起動するための起動用ＵＩを自動的に提示できる機器、起動用ＵＩ提示方法および起動用ＵＩ提示プログラムの提供にある。
【課題を解決するための手段】
【００１７】
前述の課題を解決するため、本発明による機器、起動用ＵＩ提示方法および起動用ＵＩ提示プログラムは、主に、次のような特徴的な構成を採用している。
（１）本発明による機器は、
省電力モードを有する機器であって、
省電力モードからの復帰を検出する省電力モード復帰検出部と、
前記機器の姿勢を検出する姿勢検出部と、
前記省電力モード復帰検出部が省電力モードからの復帰を検出する以降に前記姿勢検出部が検出する姿勢が所定範囲の姿勢である場合、当該所定範囲の姿勢に対応付けられる所定の機能を起動するための起動用ユーザインタフェースを提示するユーザインタフェース提示部と
を備えることを特徴とする。
（２）本発明による起動用ＵＩ提示方法は、
省電力モードからの復帰を省電力モード復帰検出部により検出し、
前記省電力モード復帰検出部が前記省電力モードからの復帰を検出する以降における姿勢を姿勢検出部により検出し、
前記姿勢検出部が所定範囲の姿勢を検出すると、当該所定範囲の姿勢に対応付けられる所定の機能を起動するためのユーザインタフェースを、ユーザインタフェース提示部により提示する
ことを特徴とする。
（３）本発明による起動用ＵＩ提示プログラムは、前記（２）に記載の方法を、コンピュータによって実行させることを特徴とする。
【発明の効果】
【００１８】
本発明による機器、起動用ＵＩ提示方法および起動用ＵＩ提示プログラムは、省電力モードから復帰したときは、そのときの姿勢に対応付けられる所定の機能を起動するための起動用ＵＩを自動的に提示できる。
【図面の簡単な説明】
【００１９】
【図１】本発明の一実施の形態である起動用ＵＩ提示携帯機器の外観を示す斜視図である。
【図２】図１に示した起動用ＵＩ提示携帯機器における動作を示す流れ図である。
【図３】図１に示した起動用ＵＩ提示携帯機器の一変形例における動作を示す流れ図である。
【図４】図１に示した起動用ＵＩ提示携帯機器の姿勢と、この姿勢に対応する機能との関係を表形式で表す姿勢・機能対応テーブルの図である。
【図５】本発明の機器について、携帯機器の姿勢と、この姿勢に対応する機能との関係を各種の例について表形式で示す図である。
【発明を実施するための形態】
【００２０】
以下、本発明による機器および起動用ＵＩ提示方法の好適な実施形態について添付図を参照して説明する。なお、以下の説明においては、本発明の一実施形態の機器を携帯電話機能を有する携帯機器として説明するが、本発明の機器は通信機能を必ずしも必要としないので、通信機能を備えない機器であっても、省電力の待機モードであるスリープモード等の省電力モードを有し、また姿勢検知手段を有して、この姿勢検知手段で検知した姿勢に応じて利用される可能性の高い機能が予め対応付けられている機器として本発明が実施できることは、殊更に言うまでもない。従って、本発明の機器は、携帯電話機の他に、カメラ、プロジェクタ、方位計、ＰＤＡ（Personal  Digital  Assistants）、ＰＣ（Personal  Computer）、スマートフォン端末、ＰＨＳ（Personal  Handy−Phone  System）、タブレット端末、音楽プレーヤ端末、更には、拡張現実（Augmented Reality）機能、水準器機能、ナビゲーション機能、地図表示機能、星座早見機能などの各種の機能を備えた携帯機器としても実現可能である。また、後述するように、本発明は、携帯機器とは称されない機器にも適用できる。なお、以下においては、本発明による機器および起動用ＵＩ提示方法の好適な実施形態について説明するが、その起動用ＵＩ提示方法はコンピュータプログラムとして実施できることは格別の説明をするまでもない。
【００２１】
図１は、本発明の一実施の形態である携帯機器の外観を示す斜視図である。この実施形態の携帯機器１は、筐体２の表側に表示画面５を有し、ＣＰＵ、メモリ等の電子回路、携帯電話機能用の送受信回路、携帯電話機能用のアンテナ、カメラ機能を実現する光学系、プロジェクタ機能を実現する光学系、方位計を実現するＧＰＳ装置、筐体２の姿勢を検知する加速度センサ、表示部（ディスプレイ）、全ての電子回路の電源および表示部照明用の電池、などを内蔵している。携帯機器１内の各電子回路は、ハードディスクに記憶され、ハードディスクからメモリに読み出され、ＣＰＵで作動するコンピュータプログラムにより制御され、携帯電話機能、カメラ機能、プロジェクタ機能、方位計機能等を実現する。コンピュータプログラム及びこのコンピュータプログラムを実行するハードウエアは、この携帯機器の制御部をなしている。電源ＯＮ／ＯＦＦスイッチ、スリープモード入り／スリープモード解除スイッチ、ロック／ロック解除スイッチ、携帯電話呼び出し音ＯＮ／ＯＦＦ用サイレントモードスイッチ等が筐体２の側面にあるが、これらの図示は省略してある。
【００２２】
図１に示すように、携帯機器１は、カメラ用光学系の開口レンズとしてカメラレンズ３を備える。カメラレンズ３は、筐体２の裏面側（背面）に開口を有し、その光軸３１は表示画面５に垂直である。また、携帯機器１は、プロジェクタ用光学系の開口レンズとしてプロジェクタレンズ４を備える。プロジェクタレンズ４は、筐体２の長手軸方向の端面（上面）に開口を有し、その光軸４１は筐体２の長手軸に一致しており、表示画面５に平行である。
【００２３】
図１の携帯機器１における表示画面５は、液晶表示装置でなる表示部の表示面であり、タッチパネル機能を有する。ユーザは、制御部により表示画面５に表示されるボタンやキーボードを指で触れる（タッチする）ことにより、制御部に対しコマンドを入力することができる。
【００２４】
図１の携帯機器１は、省電力モードの一種であるスリープモードを有する。前述のとおり、スリープモードでは、使用時にメモリに記憶されている作業用データはメモリにそのまま保持し、ハードディスクにも同じ作業用データを記録している。ユーザが表示画面５へのタッチによるコマンドやデータの入力等といった携帯機器１に対するアクセスを一定時間（例えば、１０分）以上に亘って行わなかったとき、或いはスリープモード入り／スリープモード解除スイッチをスリープモード入りに設定する操作を行ったときに、携帯機器１はスリープモードに入る。
【００２５】
スリープモードにある携帯機器１に対し、表示画面５へのタッチ等のアクセス操作をし、或いはスリープモード入り／スリープモード解除スイッチをスリープモード解除に操作することにより、スリープモードが解除され、携帯機器１が動作モードに復帰する。
【００２６】
携帯機器１の筐体２に内蔵されている加速度センサは、スリープモードの解除後、携帯機器１の姿勢（筐体２の姿勢と同じ。）を直交３軸に関して常に検出している。スリープモードから解除されたとき、携帯機器１の制御部は、加速度センサから送られる携帯機器１の姿勢が、カメラ、プロジェクタ、方位計等それぞれに関し予め定めた基準姿勢から所定の範囲内にあるか否かを判断し、その姿勢がその所定の範囲内にあれば、その基準姿勢において利用される可能性が最も高い機能の起動用ＵＩとして予め対応付けられている起動用ＵＩを表示画面５に表示する。本実施の形態では、この起動用ＵＩの表示（提示）は、前述のロック解除を要せず、またパスワードの入力も要せずに、スリープモードの解除に続いて、制御部が自動的に行う。以下に、図１の実施の形態の携帯機器１の作動につき、一層具体的に説明する。
【００２７】
図２は、図１の携帯機器１の作動を説明する流れ図である。携帯機器１がスリープモードにあるとき、表示画面５へのタッチ等のアクセス操作またはスリープモード入り／スリープモード解除スイッチをスリープモード解除に設定する操作がされることにより、スリープモードが解除され、携帯機器１が再起動されると（ステップＳ１）、携帯機器１の制御部は加速度センサから出力される携帯機器１の姿勢を検出し（ステップＳ２）、その姿勢が図４の姿勢欄に記載されている姿勢範囲の何れかに属するか否かを判定し（ステップＳ３）、この姿勢の判定がＹＥＳであるときは、その姿勢に応じた機能の起動用ＵＩが表示画面５に表示される（ステップＳ５）。前述の基準姿勢は、カメラについては、カメラレンズの光軸が水平になる姿勢である。また、プロジェクタの基準姿勢は、プロジェクタレンズの光軸が水平になる姿勢である。また、方位計の基準姿勢は、表示画面５が水平になる姿勢（図１における「表示画面に垂直な軸５１」が鉛直になる姿勢）である。
【００２８】
図１の携帯機器１は、姿勢に関連する機能としてカメラ機能、プロジェクタ機能および方位計機能を有する。カメラ機能は、カメラレンズ３の光軸３１を水平から±１５度以内の方向に指向して用いることが多い。そこで、カメラレンズ３の光軸３１が水平から±１５度以内を指向するときの携帯機器１の姿勢には、カメラ機能を対応付けておく。プロジェクタ機能は、プロジェクタレンズ４の光軸４１を水平から±１５度以内の方向に指向して用いることが多い。そこで、プロジェクタレンズ４の光軸４１が水平から±１５度以内を指向するときの携帯機器１の姿勢には、プロジェクタ機能を対応付けておく。また、方位計機能は、水平面に対する表示画面５の傾きを±１５度以内にして用いることが多い。そこで、水平面に対する表示画面５の傾きが±１５度以内であるときの携帯機器１の姿勢には、方位計機能を対応付けておく。図４は、図１の携帯機器１のある姿勢において最も利用される可能性の高い機能として、姿勢に対応付けて予め制御部の記憶領域に記憶しておく機能との関係を表す姿勢・機能対応テーブルを示している。
【００２９】
図４を参照して分かるように、スリープモードが解除され、携帯機器１が再起動されたとき、カメラレンズ３の光軸３１が水平から±１５度以内になる姿勢に携帯機器１が保持されておれば、携帯機器１の表示画面５にはカメラ起動用ＵＩが表示される。同様に、スリープモードが解除され、携帯機器１が再起動されたとき、プロジェクタレンズ４の光軸４１が水平から±１５度以内になる姿勢に携帯機器１が保持されておれば、携帯機器１の表示画面５にはプロジェクタ起動用ＵＩが表示される。また、スリープモードが解除され、携帯機器１が再起動されたとき、水平面に対する表示画面５の傾きが±１５度以内になる姿勢に携帯機器１が保持されておれば、携帯機器１の表示画面５には方位計起動用ＵＩが表示される。図１には、方位計アプリの表示画像５０として方位計起動用ＵＩが例示してある。
【００３０】
図１に斜視図で外観を示すように、図１の実施形態では、プロジェクタレンズ４の光軸４１が水平になるように筐体２の姿勢を設定するために、携帯機器１は机上等の水平面に載置されることが多い。このとき、表示画面５が水平面に平行になるので、方位計の利用がされる可能性もある。即ち、表示画面５が水平面に平行になる姿勢では、プロジェクタ機能と方位計機能との両機能が好適に利用可能である。そこで、本実施形態では、ユーザが両機能のうちのどちらかを選択して立ち上げることができるように、スリープモードが解除されたときに、プロジェクタ起動用ＵＩと方位計起動用ＵＩとの両者を表示画面５に提示する。この実施形態では、起動用ＵＩはアイコンであるので、プロジェクタ起動用ＵＩと方位計起動用ＵＩとの両者を表示画面５に提示することは容易である。両起動用ＵＩのうちから、ユーザは利用しようとする方の起動用ＵＩをタッチすることにより選択して、選択したＵＩに係る機能を実行することができる。
【００３１】
図３は、図１の実施の形態の一変形例の作動を示す流れ図である。この図３の変形例では、図２の実施形態のステップＳ３とＳ５との間に、ステップＳ４が加入してある。ステップＳ４では、スリープモードから解除されたときにおける携帯機器１の姿勢に対応付けられた機能がある（Ｙｅｓ）とステップＳ３において判断されたときに、その姿勢が所定時間（例えば、２秒）以上に亘って継続しているか否かが判断され、姿勢が所定時間以上に亘って継続している（Ｙｅｓ）ときにはステップ５に進み、その姿勢に予め対応付けられている機能の起動用ＵＩが表示画面５に表示され、もし姿勢が所定時間以上に亘って継続していない（ＮＯ）のときにはステップ２に戻す。この図３の変形例の携帯機器を採用することにより、図２の実施形態の携帯機器よりも、ユーザは意図する機能の起動用ＵＩを一層確実に表示画面に表示させることができる。
【００３２】
図２及び図３に流れ図で示した実施形態の他に、本実施形態は、次の（１）−（５）の如くに変形した態様でも実施できる。
【００３３】
（１）スリープモード解除から所定期間Ｔ０（例えば、Ｔ０＝１分）内に、所定の姿勢が所定時間Ｔ１（例えば、Ｔ１＝２秒）継続したときは、その姿勢に対応した機能の起動用ＵＩを提示する。
【００３４】
（２）図２又は図３のステップ５の次に、ステップ６を設け、所定時間以上の期間に亘った所定角度以内の姿勢が維持されるか否かを判断し、ステップ５で一旦起動用ＵＩを提示後に、所定角度以内の姿勢が維持されるときは、その起動用ＵＩの提示を継続し、もし所定角度以内の姿勢が維持されないときは、その起動用ＵＩを表示しない。
【００３５】
（３）また、図２の実施形態では、ステップＳ２で携帯機器の姿勢を検出し、ステップＳ３でその姿勢に対応付けられる機能がある（Ｙｅｓ）と判断された場合、その姿勢に対応付けられる機能のＵＩをステップＳ５で提示するが、ステップＳ３でＹｅｓと判断の後に携帯機器の姿勢が変化し、そのＵＩに対応する姿勢の範囲から外れたときも、そのステップＳ５で一旦提示したＵＩは、提示を継続するようにしてもよい。
同様に、図３の実施形態において、図２と同じくステップＳ２及びＳ３の処理を行い、続いて、所定の機能に対応付けられる姿勢が所定時間継続する（Ｙｅｓ）とステップＳ４で判断されると、その姿勢に対応付けられる機能のＵＩをステップＳ５で提示するが、ステップＳ４での判断の後に携帯機器の姿勢が変化し、そのＵＩに対応する姿勢の範囲から外れたときも、そのステップＳ５で一旦提示したＵＩは、提示を継続するようにしてもよい。
【００３６】
（４）図２及び図３の実施形態並びに上記（１）及び（２）の変形例では、この起動用ＵＩの表示は、ロック解除を要せず、またパスワードの入力も要せずに、スリープモードの解除に続いて、制御部が自動的に行うが、これらの実施形態において、起動用ＵＩの表示に続いて、パスワード確認ＵＩを表示するようにする。
【００３７】
（５）図２の実施形態では、ステップＳ２で携帯機器の姿勢を検出し、ステップＳ３でその姿勢に対応付けられる機能がある（Ｙｅｓ）と判断された場合、その姿勢に対応付けられる機能のＵＩをステップＳ５で提示し、また、図３の実施形態では、図２と同じステップＳ２及びＳ３の処理を行い、続いて、ステップＳ４で姿勢が所定時間継続する（Ｙｅｓ）か否か（Ｎｏ）を判断し、姿勢が所定時間継続する（Ｙｅｓ）のときは、その姿勢に対応付けられる機能のＵＩをステップＳ５で提示するが、図２、図３の実施形態を変形し、ステップＳ５では、姿勢に対応付けられるＵＩに代えて、姿勢に対応付けられる機能を表示する。ここで表示する機能は、カメラ機能、プロジェクタ、方位計等である。例えば、カメラ機能が表示されると、カメラレンズ３の視野内の対象物が表示画面５に表示される。
【００３８】
上に図１−図４を参照して説明した実施形態は、図４の姿勢・機能対応テーブル部の機能欄に示すカメラ、プロジェクタ及び方位計の機能を備えたものであったが、これら機能の他に、筐体の姿勢に関連した起動用ＵＩの提示が有用である例として、図５に表形式でまとめて示す機能を有する携帯機器にも本発明は適用できる。図５の機能欄に記載されているように、カメラ、プロジェクタ及び方位計の機能の他に、ＡＲ（拡張現実；Augmented Reality）、水準器、ナビゲーション、地図、星座早見など各種の姿勢関連機能を搭載した携帯機器に本発明は適用可能である。
【００３９】
前述の従来の携帯機器では、スリープモードが解除され、動作モードに復帰した状態においても、ロック／ロック解除スイッチをロック解除に操作し、更にパスワードの入力をしなければ、コマンドを実行できなかったのに対し、上述の本発明の実施の形態では、ロック解除に操作も、パスワードの入力も要することなく、スリープモードが解除されたときの姿勢において最も利用される可能性の高い機能の起動用ＵＩが表示画面に提示されるので、ユーザは、少ない操作で、短時間に、所要の機能を実行できる。
【００４０】
以上、本発明の好適な実施形態の構成を説明した。しかし、かかる実施形態は、本発明の単なる例示に過ぎず、何ら本発明を限定するものではないことに留意されたい。本発明の要旨を逸脱することなく、特定用途に応じて種々の変形変更が可能であることが、当業者には容易に理解できよう。例えば、上述の実施形態は、省電力モードとしてスリープモードを有する携帯機器であったが、スリープモードに限らず、スタンドバイ、サスペンド、休止状態など各種の用語で称される省電力モードを有する携帯機器にも本発明は適用できる。また、上述の実施形態では、起動用ＵＩとしてアイコンを提示するとしたが、ウイジェット(Widget)やガジェット(gadget)等と称されるものを用いても本発明は実施できる。
【００４１】
また、上記実施の形態は携帯電話機能を有する携帯機器であったが、本発明は、必ずしも携帯機器に限定されず、姿勢に対応した機能を有する機器であれば、適用可能である。携帯機器とはいえないが、本発明を適用できる機器としては、例えば、姿勢の変更を可能にするための吊下げ保持具で保持される天井吊下げ用の方位計付きカメラ等が考えられる。また、机上に置かれたり、車両に搭載されたりして用いられる機器であって、姿勢の変更が容易な支持具で支持された機器であっても、本発明は適用できる。更には、航空機の如く、運用中に姿勢が変動する移動体に搭載された機器であれば、移動体の姿勢に応じて機器の姿勢が変動するので、移動体搭載用の機器であっても本発明を適用して有用である。
【００４２】
また、上記実施の形態では、ＵＩの提示は表示画面５に表示することにより行ったが、ＵＩの提示は、画面表示に限られず、音声メッセージであっても差し支えない。音声によるＵＩの例としては、操作案内メッセージがある。
【００４３】
またさらに、上述の実施の形態では、本発明をハードウェアの構成として説明したが、本発明は、これに限定されるものではない。本発明は、任意の処理を、ＣＰＵ（Central Processing Unit）にコンピュータプログラムを実行させることにより実現することも可能である。  また、上述したプログラムは、様々なタイプの非一時的なコンピュータ可読媒体（ｎｏｎ−ｔｒａｎｓｉｔｏｒｙ  ｃｏｍｐｕｔｅｒ  ｒｅａｄａｂｌｅ  ｍｅｄｉｕｍ）を用いて格納され、コンピュータに供給することができる。非一時的なコンピュータ可読媒体は、様々なタイプの実体のある記録媒体（ｔａｎｇｉｂｌｅ  ｓｔｏｒａｇｅ  ｍｅｄｉｕｍ）を含む。非一時的なコンピュータ可読媒体の例は、磁気記録媒体（例えばフレキシブルディスク、磁気テープ、ハードディスクドライブ）、光磁気記録媒体（例えば光磁気ディスク）、ＣＤ−ＲＯＭ（Ｒｅａｄ  Ｏｎｌｙ  Ｍｅｍｏｒｙ）ＣＤ−Ｒ、ＣＤ−Ｒ／Ｗ、半導体メモリ（例えば、マスクＲＯＭ、ＰＲＯＭ（Ｐｒｏｇｒａｍｍａｂｌｅ  ＲＯＭ）、ＥＰＲＯＭ（Ｅｒａｓａｂｌｅ  ＰＲＯＭ）、フラッシュＲＯＭ、ＲＡＭ（Ｒａｎｄｏｍ  Ａｃｃｅｓｓ  Ｍｅｍｏｒｙ））を含む。また、プログラムは、様々なタイプの一時的なコンピュータ可読媒体（ｔｒａｎｓｉｔｏｒｙ  ｃｏｍｐｕｔｅｒ  ｒｅａｄａｂｌｅ  ｍｅｄｉｕｍ）によってコンピュータに供給されてもよい。一時的なコンピュータ可読媒体の例は、電気信号、光信号、及び電磁波を含む。一時的なコンピュータ可読媒体は、電線及び光ファイバ等の有線通信路、又は無線通信路を介して、プログラムをコンピュータに供給できる。
【００４４】
以上、実施の形態を参照して本願発明を説明したが、本願発明は上記によって限定されるものではない。本願発明の構成や詳細には、発明のスコープ内で当業者が理解し得る様々な変更をすることができる。
【００４５】
この出願は、２０１２年３月２日に出願された日本出願特願２０１２−０４６５５９を基礎とする優先権を主張し、その開示の全てをここに取り込む。
【符号の説明】
【００４６】
１      携帯機器
２      筐体
３      カメラレンズ
４      プロジェクタレンズ
３１      カメラレンズの光軸
４１      プロジェクタレンズの光軸
５０      方位計アプリの表示画像
５１      表示画面に垂直な軸
【図１】
0005983726.tif 000002
【図２】
0005983726.tif 000003
【図３】
0005983726.tif 000004
【図４】
0005983726.tif 000005
【図５】
0005983726.tif 000006